(57)【要約】【課題】本発明は、カクテルドラムの機能を損なうことなく、広い音域でのチューニングを可能としたドラムシステムを提供することにある。【解決手段】ドラムシステム１０は、フロアタム１１、バスドラム１２、タムタム１３、スネアドラム１４、脚２１，２２、ロッド２３、取付具２４、第１及び第２のブラケット４１，４２等を備えている。３本のロッド２３及び第１及び第２のブラケット４１，４２を介して、フロアタム１１はドラムヘッド１１ｂを上方に向けて、バスドラム１２はドラムヘッド１２ｂを下方に向けてそれぞれ設置される。また、３本のロッド２３及び第１及び第２のブラケット４１，４２を介して、フロアタム１１は、バスドラム１２から上方に離間して設置される。【選択図】図１
2015041054.tif 000002
【特許請求の範囲】
【請求項１】
ドラムシステムであって、
第１のドラムと、
前記第１のドラムとは別体である第２のドラムと、
前記第１及び第２のドラムの少なくとも一方のシェル外周面に設けられ、前記第１及び第２のドラムを縦向きに設置するための複数の脚とを備え、
前記第１のドラムの音色は、前記第２のドラムの音色とは異なり、
前記第１及び第２のドラムは、前記第１のドラムのドラムヘッドを上方に前記第２のドラムのドラムヘッドを下方に向けてそれぞれ設置され、
前記第１のドラムは、前記第２のドラムから上方に離間して設置されることを特徴とするドラムシステム。
【請求項２】
請求項１記載のドラムシステムにおいて、
前記第１のドラムの口径は、前記第２のドラムの口径と異なることを特徴とするドラムシステム。
【請求項３】
請求項１又は２記載のドラムシステムにおいて、
前記ドラムシステムは、前記第１のドラムと前記第２のドラムとの間の離間距離を調整可能に構成されていることを特徴とするドラムシステム。
【請求項４】
請求項３記載のドラムシステムにおいて、
前記第１のドラムを前記第２のドラムの上方に支持するためのロッドと、
前記ロッドに対して移動可能に支持され、前記第１のドラムのシェル外周面に固定される第１のブラケットと、
前記ロッドに対して移動可能に支持され、前記第２のドラムのシェル外周面に固定される第２のブラケットと
を備えることを特徴とするドラムシステム。
【請求項５】
請求項４記載のドラムシステムにおいて、
前記第１及び第２のブラケットは、前記ロッドの軸線と直交する方向に沿った長さをそれぞれ有し、前記第１のブラケットの長さは、前記第２のブラケットの長さと異なることを特徴とするドラムシステム。
【請求項６】
請求項１〜５のうちいずれか一項に記載のドラムシステムにおいて、
前記第２のドラムを叩打するペダル装置を前記ドラムシステムに連結するための連結機構を備え、
前記連結機構は、前記複数の脚のうち演奏者側に設けられた二本の脚と、前記二本の脚の間を連結すると共に前記ペダル装置が連結される連結部材とを備えていることを特徴とするドラムシステム。
【請求項７】
請求項４〜６のうちいずれか一項に記載のドラムシステムにおいて、
前記第１のドラム及び第２のドラムとは別の楽器と、
前記別の楽器を前記ロッドに着脱するための取付具と
を備えることを特徴とするドラムシステム。
【請求項８】
請求項７記載のドラムシステムにおいて、
前記別の楽器は、第３及び第４のドラムのうちの一つであり、
前記第３及び第４のドラムの各口径は、前記第１及び第２のドラムの各口径よりも小さく設定されていることを特徴とするドラムシステム。
【請求項９】
請求項８記載のドラムシステムにおいて、
前記第１ドラムは、スネアドラム又はタムであり、
前記第２ドラムは、バスドラムであり、
前記第３ドラムは、スネアドラム又はタムであり、
前記第４ドラムは、スネアドラム又はタムであることを特徴とするドラムシステム。
【発明の詳細な説明】
【技術分野】
【０００１】
本発明は、ドラムシステムに関する。
【背景技術】
【０００２】
例えば、特許文献１には、コンパクトで持ち運びが簡単なドラムセットが提案されている。このドラムセットは、２つの胴体部に分割されるバスドラムの内側にタム及びスネアドラム等を収納可能に構成されている。この構成によれば、バスドラムの内側にタムやスネアドラムの収納空間を確保するため、バスドラムの口径及び奥行を大きくする必要がある。また、演奏時には、取付用金具を介して、バスドラムの外周面にタムやスネアドラム等が取り付けられる。この場合、バスドラムが横向きに設置されることから、ドラムセットの設置には十分なスペースが必要となる。よって、この文献に開示のドラムセットは、バーや路上等の狭いスペースでの演奏に適していない。
【０００３】
これに対し、上記のような狭いスペースでの演奏に適したカクテルドラムシステムが提案されている。カクテルドラムは、胴の長いシェルと、シェルの上下各開口端に装着された一対のドラムヘッドとを備えている。カクテルドラムは、フロアタムのように縦向きに設置して使用される。演奏者は、下側のドラムヘッドをペダルにより叩打し、上側のドラムヘッドをスティックにより叩打する。つまり、演奏者は、上側のドラムヘッドをタムやスネアドラムのように叩打し、下側のドラムヘッドをバスドラムのように叩打する。また、シェル外周面に設けられた複数のラグボルトを回し、上側及び下側のドラムヘッドの張力をそれぞれ調節することで、カクテルドラムのチューニングが行われる。
【先行技術文献】
【特許文献】
【０００４】
【特許文献１】特許第３５４３６２２号
【発明の概要】
【０００５】
しかしながら、カクテルドラムの場合、タムやスネアドラムのドラムヘッドとバスドラムのドラムヘッドとが、一つのシェルに対してそれぞれ装着されている。この構成によれば、シェルを介して、一方のドラムヘッドのチューニングが他方のドラムヘッドのチューニングの影響を受け易くなっている。このため、上側のドラムヘッドによる音と下側のドラムヘッドによる音とが干渉し合う等の理由により、各ドラムヘッドでは、狭い音域でしかチューニングすることができなかった。その結果、カクテルドラムのチューニングを十分に行うことができず、各ドラムヘッドによる叩打音を十分に響かせることができなかった。
【発明が解決しようとする課題】
【０００６】
本発明の目的は、カクテルドラムの機能を損なうことなく、広い音域でのチューニングを可能としたドラムシステムを提供することにある。
【課題を解決するための手段】
【０００７】
上記の目的を達成するために、請求項１に記載の発明は、ドラムシステムであって、第１のドラムと、第１のドラムとは別体である第２のドラムと、第１及び第２のドラムの少なくとも一方のシェル外周面に設けられ、第１及び第２のドラムを縦向きに設置するための複数の脚とを備え、第１のドラムの音色は、第２のドラムの音色とは異なり、第１及び第２のドラムは、第１のドラムのドラムヘッドを上方に第２のドラムのドラムヘッドを下方に向けてそれぞれ設置され、第１のドラムは、第２のドラムから上方に離間して設置されることを要旨とする。
【０００８】
この構成によれば、第１のドラムのドラムヘッドを上方に第２のドラムのドラムヘッドを下方に向けて、第１及び第２のドラムをそれぞれ設置することができる。これにより、第１及び第２のドラムを、縦向きに設置されるカクテルドラムと同じように使用することができる。また、第１のドラムを、第２のドラムから上方に離間して設置することもできる。これにより、第１のドラムの音と第２のドラムの音との干渉が抑制されるため、第１及び第２のドラムのそれぞれを、広い音域でチューニングすることができる。よって、カクテルドラムの機能を損なうことなく、広い音域でのチューニングを可能としたドラムシステムを提供することができる。尚、ドラムの音色の決める条件として、例えば、ドラムの口径、奥行、ドラムヘッドの材質及び厚み、シェルの材質及び厚み等が挙げられる。
【０００９】
請求項２に記載の発明は、請求項１記載の発明において、第１のドラムの口径は、第２のドラムの口径と異なることを要旨とする。
この構成によれば、第１のドラムの口径を第２のドラムの口径と異ならせることで、第１のドラムの音と第２のドラムの音との干渉を小さくすることができる。これにより、第１及び第２のドラムのチューニングを容易に行うことができる。また、第１のドラムの音色と第２のドラムの音色との違いを明確にすることもでき、第１及び第２のドラムを、異なる種類のドラムとしてそれぞれ使用することができる。更に、口径の大きいドラム内に口径の小さいドラムを収納することもでき、コンパクトで持ち運びが簡単なドラムシステムを提供することもできる。
【００１０】
請求項３に記載の発明は、請求項1又は２記載の発明において、ドラムシステムは、第１のドラムと第２のドラムとの間の離間距離を調整可能に構成されていることを要旨とする。
【００１１】
この構成によれば、第１のドラムと第２のドラムとの間の離間距離を大きくすることで、第１のドラムの音と第２のドラムの音との干渉を小さくすることができる。これにより、第１及び第２のドラムのチューニングを容易に行うことができる。また、第１のドラムと第２のドラムとの間の離間距離を調整して第１及び第２のドラムのチューニングを行うこともできる。更に、第１のドラムと第２のドラムとの間の離間距離を調整して第１のドラムの打面位置を演奏し易い高さに設定することもできる。
【００１２】
請求項４に記載の発明は、請求項３記載の発明において、第１のドラムを第２のドラムの上方に支持するためのロッドと、ロッドに対して移動可能に支持され、第１のドラムのシェル外周面に固定される第１のブラケットと、ロッドに対して移動可能に支持され、第２のドラムのシェル外周面に固定される第２のブラケットとを備えることを要旨とする。
【００１３】
この構成によれば、ロッドを介して、第１及び第２のドラムを縦向きに並べてそれぞれ設置することができる。この場合、長いロッドを使用すれば、カクテルドラムのように立って演奏することができ、短いロッドを使用すれば、通常のドラムセットのように座って演奏することができる。また、ロッドに対して第１及び第２のブラケットうち少なくとも一方を移動させることで、第１のドラムと第２のドラムとの間の離間距離を容易に調整することもできる。
【００１４】
請求項５に記載の発明は、請求項４記載の発明において、第１及び第２のブラケットは、ロッドの軸線と直交する方向に沿った長さをそれぞれ有し、第１のブラケットの長さは、第２のブラケットの長さと異なることを要旨とする。
【００１５】
この構成によれば、長さの異なる２種類のブラケットとロッドとを介して、第１のドラムと、第１のドラムとは異なる口径の第２ドラムとを、縦向きに並べてかつ同軸上に設置することができる。これにより、演奏時における第１及び第２のドラムの設置スペースを小さく抑えることができる。
【００１６】
請求項６に記載の発明は、請求項１〜５のうちいずれか一項に記載の発明において、第２のドラムを叩打するペダル装置をドラムシステムに連結するための連結機構を備え、連結機構は、複数の脚のうち演奏者側に設けられた二本の脚と、二本の脚の間を連結すると共にペダル装置が連結される連結部材とを備えていることを要旨とする。
【００１７】
この構成によれば、連結機構を介して、第２のドラムを叩打するペダル装置を、第１及び第２のドラムを設置するための脚に連結することができる。これにより、演奏者は、ペダル装置を操作して、第２のドラムを叩打することができる。よって、演奏者は、第２のドラムをバスドラムのように演奏することができる。
【００１８】
請求項７に記載の発明は、請求項４〜６のうちいずれか一項に記載の発明において、第１のドラム及び第２のドラムとは別の楽器と、前記別の楽器をロッドに着脱するための取付具とを備えることを要旨とする。
【００１９】
この構成によれば、取付具を介して、第１及び第２のドラムとは別の楽器をロッドに取り付けたり、ロッドから取り外したりすることができる。これにより、別の楽器を設置するための専用のスタンドが不要となる。このため、演奏時におけるドラムシステムの設置スペースを小さく抑えることができる。
【００２０】
請求項８に記載の発明は、請求項７記載の発明において、別の楽器は、第３及び第４のドラムのうちの一つであり、第３及び第４のドラムの各口径は、第１及び第２のドラムの各口径よりも小さく設定されていることを要旨とする。
【００２１】
この構成によれば、第３及び第４のドラムの一方を第１及び第２のドラムの一方に収納することができ、第３及び第４のドラムの他方を第１及び第２のドラムの他方に収納することができる。これにより、種類の異なる４つのドラムを備えると共にコンパクトで持ち運びが簡単なドラムシステムを提供することができる。
【００２２】
請求項９に記載の発明は、請求項８記載の発明において、第１ドラムは、スネアドラム又はタムであり、第２ドラムは、バスドラムであり、第３ドラムは、スネアドラム又はタムであり、第４ドラムは、スネアドラム又はタムであることを要旨とする。
【００２３】
この構成によれば、タム、スネアドラム、バスドラム等を演奏時の位置に設置可能なドラムシステムを提供することができる。また、このドラムシステムは、コンパクトで持ち運びが簡単であり、かつ狭いスペースでの演奏に適している。
【発明の効果】
【００２４】
本発明によれば、カクテルドラムの機能を損なうことなく、広い音域でのチューニングを可能としたドラムシステムを提供することができる。
【図面の簡単な説明】
【００２５】
【図１】本発明の一実施形態に係るドラムシステムの演奏時の形態を示す斜視図。
【図２】ドラムシステムにペダル装置を連結する連結機構を示す斜視図。
【図３】図２の３−３線に沿った断面図。
【図４】ペダル装置の斜視図。
【図５】ドラムシステムの演奏時の形態を示す正面図。
【図６】第１のブラケットの斜視図。
【図７】図６の７−７線に沿った断面図。
【図８】ロッドにタムタムやスネアドラムを着脱する取付具の斜視図。
【図９】ドラムシステムの収納時の形態を示す斜視図。
【図１０】ドラムシステムの収納時の形態を説明するための分解斜視図。
【発明を実施するための形態】
【００２６】
（第１実施形態）
以下、本発明に係るドラムシステム１０を具体化した一実施形態について、図１〜図１０を参照して説明する。ドラムシステム１０を説明するに際し、前方を観客側とし、後方を演奏者側として、以下に記載する。
【００２７】
図１に示すように、ドラムシステム１０は、第１ドラムとしてのフロアタム１１、第２ドラムとしてのバスドラム１２、第３ドラムとしてのタムタム１３、及び第４ドラムとしてのスネアドラム１４を備えている。
【００２８】
フロアタム１１は、シェル１１ａと、シェル１１ａの上開口端に装着されるドラムヘッド１１ｂとを備えている。バスドラム１２は、シェル１２ａと、シェル１２ａの下開口端に装着されるドラムヘッド１２ｂとを備えている。スネアドラム１４は、シェル１４ａと、シェル１４ａの上下開口端に装着される一対のドラムヘッド１４ｂと、図示しないスネアワイヤとを備えている。タムタム１３は、シェル１３ａと、シェル１３ａの上開口端に装着されるドラムヘッド１３ｂとを備えている。
【００２９】
ドラムシステム１０は、更に、フロアタム１１、バスドラム１２、タムタム１３及びスネアドラム１４を設置するため、４本の脚２１，２２、３本のロッド２３、及び２個の取付具２４を備えている。脚２１，２２は、フロアタム１１及びバスドラム１２を縦向きに設置するために使用される。ロッド２３は、フロアタム１１をバスドラム１２の上方に支持するために使用される。取付具２４は、ロッド２３に対してタムタム１３やスネアドラム１４を設置するために使用される。
【００３０】
４本の脚２１，２２のうち、一対の前脚２１は、中央と先端とで斜めに曲げられた金属製の棒材からなる。一対の後脚２２は、真っ直ぐに延びる金属製の棒材からなる。脚２１，２２は、固定具２５を介して、バスドラム１２のシェル１２ａの外周面に略等角度間隔を置いて固定されている。脚２１，２２は、各固定具２５の孔に下方から差し込まれて取り付けられる。前脚２１の先端には、滑り止めのためのゴム製のキャップ２６が嵌め込まれている。後脚２２には、連結機構２７を介して、バスドラム１２を叩打するペダル装置２８が連結されている。前脚２１及び後脚２２には、バスドラム１２の各取付位置を記憶するメモリロック２９がそれぞれ取り付けられている。
【００３１】
図２及び図３に示すように、連結機構２７は、一対の後脚２２と、一対の脚ゴム３０と、連結部材としての連結プレート３１とを備えている。脚ゴム３０は、略直方体であってその内部に中空部３０ａを有している。脚ゴム３０の中空部３０ａを形成する内面には、連結プレート３１を保持するＬ字状の突起３０ｂが形成されている。脚ゴム３０の上面には、中空部３０ａに連通する貫通孔３０ｃと、中空部３０ａに連通しない固定穴３０ｄとが形成されている。脚ゴム３０の固定穴３０ｄには、後脚２２の下端が差し込まれて固定される。脚ゴム３０の下面には、滑り止めのためのストッパ３０ｅが形成されている。
【００３２】
連結プレート３１は、金属等の剛性を有する材料からなる。連結プレート３１は、長尺状の板材を断面Ｌ字状に折り曲げて形成されている。連結プレート３１には、連結プレート３１の長手方向に沿って延びる突条３１ａが形成されている。図２に示すように、演奏者側から見て、突条３１ａの中央より少し右側には、ペダル装置２８との連結位置を表す２つの目印３１ｂが刻印されている。２つの目印３１ｂの位置は、ペダル装置２８を両目印３１ｂ間に連結すればバスドラム１２のドラムヘッド１２ｂの中央付近をビータ３７が叩打するように設定されている。
【００３３】
連結プレート３１は、突条３１ａを含む面を上方に向けて、一対の脚ゴム３０の間に架設されている。連結プレート３１は、両脚ゴム３０を介して、一対の後脚２２の各下端に連結されている。連結プレート３１の端部は、脚ゴム３０の中空部３０ａの内側に側方から差し込まれている。中空部３０ａ内では、連結プレート３１の一部が、脚ゴム３０の内面と突起３０ｂとの間の隙間に保持されている。また、連結プレート３１の角部が、脚ゴム３０の中空部３０ａを形成する角部に密着している。こうして、連結プレート３１の両端は、中空部３０ａ内に配置された状態で、貫通孔３０ｃを通されたネジ３３によって、脚ゴム３０にそれぞれ固定されている。
【００３４】
図４及び図５に示すように、ペダル装置２８は、ベース板３５、ペダル３６、ビータ３７、及びクランプ３８を備えている。ペダル装置２８は、クランプ３８により、連結プレート３１の略中央に連結される。ペダル装置２８は、ビータ３７の打撃面３７ａをバスドラム１２に向けて配置される。ペダル装置２８は、足を使ってペダル３６を上下動させることで、ビータ３７が上下に往復回動するように構成されている。
【００３５】
ペダル装置２８の前端において、ビータ３７と対応する位置に凹部３９が形成されている。凹部３９は、ペダル装置２８を正面から見た場合、クランプ３８とは反対側に配置されている。図４の二点鎖線で示すように、凹部３９は、ビータ３７が最も下方に移動したときペダル装置２８との干渉を回避するための空間を形成する。
【００３６】
図１及び図５に示すように、演奏時には、フロアタム１１及びバスドラム１２が、３本のロッド２３を介し、フロアタム１１のドラムヘッド１１ｂを上方にバスドラム１２のドラムヘッド１２ｂを下方に向けてそれぞれ設置される。ロッド２３の上端付近には、フロアタム１１の取付位置を記憶するメモリロック３２が取り付けられている。また、ロッド２３の下端付近には、バスドラム１２の取付位置を記憶するメモリロック３４が取り付けられている。
【００３７】
フロアタム１１は、３本のロッド２３及び各ロッド２３に支持された第１及び第２のブラケット４１，４２を介して、バスドラム１２と同軸上に設置されると共に、バスドラム１２から上方に離間して設置される。この状態で、フロアタム１１は、ロッド２３及び第１及び第２のブラケット４１，４２を介して、バスドラム１２との間の離間距離を調整可能に設置される。
【００３８】
第１のブラケット４１は、フロアタム１１のシェル１１ａの外周面に略等角度間隔を置いて固定されている。第２のブラケット４２は、バスドラム１２のシェル１２ａの外周面に略等角度間隔を置いて固定されている。３つの第２のブラケット４２のうちの一つは、図５に示すように、前脚２１が差し込まれる２つの固定具２５の間に配置されている。また、残りの二つは、図１に示すように、前脚２１が差し込まれる固定具２５と後脚２２が差し込まれる固定具２５との間にそれぞれ配置されている。第１及び第２のブラケット４１，４２は、ロッド２３に対して移動可能にそれぞれ支持されている。
【００３９】
図６及び図７に示すように、第１のブラケット４１は、フロアタム１１のシェル１１ａに固定されるブラケット本体４４と、ブラケット本体４４に組み付けられるクランプ片４５及び一対のボルト４６，４７とを備えている。ブラケット本体４４は、クランプ片４５と対向する面に、ロッド２３を支持する支持凹部４４ａと、第１及び第２ボルト４６，４７が取り付けられる一対の配置穴４４ｂ，４４ｃとを有している。一方、クランプ片４５は、ブラケット本体４４と対向する面に、ロッド２３を支持する支持凹部４５ａと、第１ボルト４６が挿通される挿通孔４５ｂと、ボルト４７を支持する支持凹部４５ｃとを有している。
【００４０】
第１及び第２ボルト４６，４７の各基端は、ブラケット本体４４の配置穴４４ｂ，４４ｃにそれぞれ配置されている。第１及び第２ボルト４６，４７は、ピン４８を介し、ブラケット本体４４に対して回動可能にそれぞれ取り付けられている。
【００４１】
第１ボルト４６の先端は、クランプ片４５の挿通孔４５ｂを貫通すると共にナット５２に螺合されている。ナット５２は、クランプ片４５と対向する面に、断面半円形状の突部５２ａを有している。また、クランプ片４５は、突部５２ａと対応する箇所に、断面半円形状の凹部４５ｄを有している。第１ボルト４６の軸部には、ワッシャ４９やコイルバネ５０ａが装着されている。コイルバネ５０ａは、ブラケット本体４４とクランプ片４５とにより圧縮されている。このため、クランプ片４５の凹部４５ｄには、ナット５２の突部５２ａが圧接されている。
【００４２】
第２ボルト４７の先端は、クランプ片４５の支持凹部４５ｃを通過すると共にワッシャ５３を介して蝶ナット５４に螺合されている。第２ボルト４７の軸部にも、ワッシャ４９やコイルバネ５０ｂが装着されている。コイルバネ５０ａと同様に、コイルバネ５０ｂも、ブラケット本体４４とクランプ片４５とにより圧縮されている。
【００４３】
第１のブラケット４１は、第２ボルト４７に蝶ナット５４を締め付けることで、ブラケット本体４４とクランプ片４５との間にロッド２３を挟持して固定する。一方、蝶ナット５４を緩めることで、第１のブラケット４１に対するロッド２３の固定が解除されると共に、第１のブラケット４１がロッド２３に対して摺動可能となる。こうして、３つの第１のブラケット４１をロッド２３に対し摺動可能にすることで、フロアタム１１とバスドラム１２との間の離間距離を調整することが可能となる。
【００４４】
また、第１のブラケット４１からロッド２３を取り外す場合、まず、蝶ナット５４を緩めてから、ブラケット本体４４に対し第２ボルト４７を図６及び図７に示すＡ方向に回動させる。次に、ロッド２３をその軸線と直交する水平方向Ｐに移動させるだけで、ロッド２３は第１のブラケット４１から取り外される。このとき、クランプ片４５は、凹部４５ｄの内面を突部５２ａの円弧面に沿って滑らせながら、図７に示すＱ方向に回動する。また、第１ボルト４６は、ピン４８を中心に、図７に示すＲ方向に回動する。こうして、ロッド２３は、第１のブラケット４１とクランプ片４５との間の隙間を押し広げながら、水平方向Ｐに移動して第１のブラケット４１から取り外される。尚、第１のブラケット４１にロッド２３を取り付けて固定する場合、ロッド２３を取り外すときと逆の手順が行われる。
【００４５】
図５に示すように、第２のブラケット４２は、第１のブラケット４１のブラケット本体４４よりも短いブラケット本体により構成されていること以外は、第１のブラケット４１と同じ構成を有している。即ち、第１のブラケット４１全体の長さＬ１は、フロアタム１１及びバスドラム１２を同軸上に配置するため、第２のブラケット４２全体の長さＬ２よりも長く設定されている。尚、第１及び第２のブラケット４１，４２全体の長さＬ１，Ｌ２とは、ロッド２３の軸線と直交する方向に沿った長さを意味している。
【００４６】
図５に示すように、観客側から見て、フロアタム１１及びバスドラム１２の右側には、タムタム１３及びスネアドラム１４が、ドラムヘッド１３ｂ，１４ｂを上方に向けてそれぞれ設置される。スネアドラム１４のドラムヘッド１４ｂは、フロアタム１１のドラムヘッド１１ｂとほぼ同じ高さに設定される。タムタム１３のドラムヘッド１３ｂは、フロアタム１１及びスネアドラム１４の各ドラムヘッド１１ｂ，１４ｂよりも高い位置に設定される。スネアドラム１４は、取付具２４を介して、ロッド２３の中央付近に取り付けられる。タムタム１３は、取付具２４を介して、同じロッド２３の上端付近に取り付けられる。
【００４７】
図８に示すように、取付具２４は、クランプ本体５５、第１クランプ片５６、第２クランプ片５７、及び回動部材５８を備えている。回動部材５８は、ボール６０と、ボール６０から突出するＩ型のロッド６１とを備えている。２個の取付具２４のうち、一方の取付具２４のロッド６１には、タムタム１３の取付位置を記憶するメモリロック６４が取り付けられている。また、他方の取付具２４のロッド６１には、スネアドラム１４の取付位置を記憶するメモリロック６４が取り付けられている。
【００４８】
取付具２４は、第１ボルト６２に螺着された蝶ナット６３を締め付けることでクランプ本体５５と第１クランプ片５６との間にボール６０を挟持する。この状態から蝶ナット６３を緩めることで、ボール６０がクランプ本体５５と第１クランプ片５６との間で回動可能となり、回動部材５８を前後左右に動かすことができる。また、取付具２４は、第２ボルト６５に螺着された蝶ナット６６を締め付けることで、クランプ本体５５と第２クランプ片５７との間にロッド２３を挟持して固定する。一方、蝶ナット６６を緩めることで、取付具２４に対するロッド２３の固定が解除されると共に、取付具２４がロッド２３に対して摺動可能となる。こうして、取付具２４をロッド２３に対して摺動させることに加え、回動部材５８を前後左右に動かしたり、メモリロック６４の位置を調節したりすることで、タムタム１３やスネアドラム１４の高さ位置や打面角度がそれぞれ調整される。また、異なる径のロッド２３に対応する場合、第３ボルト６７に対するナット６８の締付量を変更して、クランプ本体５５と第２クランプ片５７との間の間隔が調整される。尚、ナット６８も、ナット５２と同様に、第２クランプ片５７と対向する面に、断面半円形状の突部６８ａを有している。
【００４９】
また、取付具２４をロッド２３から取り外す場合、まず、蝶ナット６６を緩めてから、クランプ本体５５に対し第２ボルト６５を図８に示すＡ方向に回動させる。次に、取付具２４をロッド２３の軸線と直交する水平方向Ｐに移動させることで、ロッド２３から取付具２４が取り外される。このとき、ロッド２３によって、第２クランプ片５７がその先端を外側に移動させるように回動する。こうして、クランプ本体５５と第２クランプ片５７との間の隙間がロッド２３により押し広げられながら、取付具２４はロッド２３から取り外される。尚、取付具２４をロッド２３に取り付けて固定する場合、取付具２４を取り外すときと逆の手順が行われる。
【００５０】
図９及び図１０に示すように、ドラムシステム１０は、フロアタム１１及びバスドラム１２の内側にスネアドラム１４及びタムタム１３を収納可能に構成されている。このため、バスドラム１２の口径はフロアタム１１の口径よりも大きく、フロアタム１１の口径はスネアドラム１４の口径よりも大きく、スネアドラム１４の口径はタムタム１３の口径よりも大きく設定されている。具体的には、バスドラム１２の口径は１６インチであり、フロアタム１１の口径は１４インチである。また、スネアドラム１４の口径は１２インチであり、タムタム１３の口径は１０インチである。
【００５１】
ドラムシステム１０を収納時の形態にするには、図１０に示すように、まず、最も口径の大きいバスドラム１２がドラムヘッド１２ｂを下向きにして配置される。このとき、ペダル装置２８や前脚２１及び後脚２２等はバスドラム１２から取り外されているが、３本のロッド２３はバスドラム１２に取り付けられたままである。次に、バスドラム１２の内側に、スネアドラム１４がドラムヘッド１４ｂを上向きにして収納される。
【００５２】
続いて、スネアドラム１４の上に、タムタム１３がドラムヘッド１３ｂを上向きにして配置される。最後に、バスドラム１２の上に、フロアタム１１がドラムヘッド１１ｂを上向きにしてかつタムタム１３を収納するように載置される。このとき、第１及び第２のブラケット４１，４２を同位置に配置すると共に、各ロッド２３を対応する第１のブラケット４１に挿通させる。こうして、フロアタム１１が、バスドラム１２と同軸上に載置される。また、フロアタム１１及びバスドラム１２の内側でも、タムタム１３が、スネアドラム１４と同軸上に載置される。
【００５３】
次に、上記のドラムシステム１０の作用について説明する。
図１に示すように、ドラムシステム１０は、フロアタム１１、バスドラム１２、タムタム１３、及びスネアドラム１４を備えている。また、ドラムシステム１０は、フロアタム１１、バスドラム１２、タムタム１３及びスネアドラム１４を設置するための器具や部品として、脚２１，２２、ロッド２３、及び取付具２４等を備えている。このドラムシステム１０によれば、フロアタム１１及びバスドラム１２が、３本のロッド２３を介し、フロアタム１１のドラムヘッド１１ｂを上方にバスドラム１２のドラムヘッド１２ｂを下方に向けてそれぞれ設置される。この場合、演奏者は、下側のバスドラム１２をペダル装置２８により叩打し、上側のフロアタム１１をスティックにより叩打することができる。つまり、演奏者は、フロアタム１１及びバスドラム１２を、縦向き設置して使用されるカクテルドラムのように演奏することができる。
【００５４】
また、このドラムシステム１０によれば、フロアタム１１が、３本のロッド２３及び各ロッド２３に支持された第１及び第２のブラケット４１，４２を介して、バスドラム１２から上方に離間して設置される。この場合、フロアタム１１がバスドラム１２から上方に離間しているため、一つのシェルの上下開口端にドラムヘッドが装着されたカクテルドラムとは異なり、フロアタム１１の音とバスドラム１２の音とが干渉し合うことを抑制することができる。これにより、フロアタム１１のチューニングがバスドラム１２のチューニングの影響を受けたり、バスドラム１２のチューニングがフロアタム１１のチューニングの影響を受けたりすることを抑制できる。よって、フロアタム１１及びバスドラム１２の両方について、広い音域でチューニングすることが可能となる。  
【００５５】
従って、本実施形態によれば、以下のような効果を得ることができる。
（１）ドラムシステム１０は、フロアタム１１と、バスドラム１２と、フロアタム１１及びバスドラム１２を縦向きに設置するための脚２１，２２とを備えている。フロアタム１１は、３本のロッド２３及び第１及び第２のブラケット４１，４２を介して、バスドラム１２から上方に離間して設置される。この構成によれば、フロアタム１１のドラムヘッド１１ｂを上方にバスドラム１２のドラムヘッド１２ｂを下方に向けて、フロアタム１１及びバスドラム１２をそれぞれ設置することができる。これにより、フロアタム１１及びバスドラム１２を、縦向きに設置して演奏されるカクテルドラムと同じように使用することができる。
【００５６】
また、フロアタム１１を、バスドラム１２から上方に離間して設置することもできる。これにより、フロアタム１１の音とバスドラム１２の音との干渉が抑制されるため、フロアタム１１及びバスドラム１２のそれぞれを、広い音域でチューニングすることができる。よって、カクテルドラムの機能を損なうことなく、広い音域でのチューニングを可能としたドラムシステム１０を提供することができる。
【００５７】
（２）バスドラム１２の口径は、フロアタム１１の口径よりも大きく設定されている。この構成によれば、フロアタム１１の口径とバスドラム１２の口径とが異なるため、フロアタム１１の音とバスドラム１２の音との干渉が小さくすることができる。これにより、フロアタム１１及びバスドラム１２の各チューニングを容易に行うことができる。また、フロアタム１１の音色とバスドラム１２の音色との違いを明確にすることもできる。この場合、フロアタム１１の口径とバスドラム１２の口径との差を大きくすることで、フロアタム１１の音とバスドラム１２の音との干渉を、より一層小さくすることができる。
【００５８】
（３）フロアタム１１は、ロッド２３及び第１及び第２のブラケット４１，４２を介して、バスドラム１２との間の離間距離を調整可能に設置されている。この構成によれば、フロアタム１１とバスドラム１２との間の離間距離を大きくすることで、フロアタム１１の音とバスドラム１２の音との干渉を小さくすることができる。これにより、フロアタム１１及びバスドラム１２の各チューニングを容易に行うことができる。また、フロアタム１１とバスドラム１２との間の離間距離を調整してフロアタム１１及びバスドラム１２の各チューニングを行うこともできる。更に、フロアタム１１とバスドラム１２との間の離間距離を調整してフロアタム１１の打面位置を演奏し易い高さに設定することもできる。
【００５９】
（４）ドラムシステム１０は、フロアタム１１をバスドラム１２の上方に支持するロッド２３を備えている。第１のブラケット４１は、フロアタム１１のシェル１１ａの外周面に固定されている。第２のブラケット４２は、バスドラム１２のシェル１２ａの外周面に固定されている。第１及び第２のブラケット４１，４２は、ロッド２３に対して移動可能にそれぞれ支持されている。この構成によれば、ロッド２３を介して、フロアタム１１及びバスドラム１２を縦向きに並べてそれぞれ設置することができる。この場合、長いロッド２３を使用すれば、カクテルドラムのように立って演奏することができ、短いロッド２３を使用すれば、通常のドラムセットのように座って演奏することができる。また、ロッド２３に対して第１及び第２のブラケット４１，４２のうち少なくとも一方を移動させることで、フロアタム１１とバスドラム１２との間の離間距離を容易に調整することもできる。
【００６０】
（５）第１のブラケット４１全体の長さＬ１は、第２のブラケット４２全体の長さＬ２よりも長く設定されている。この構成によれば、フロアタム１１と、フロアタム１１よりも口径の大きいバスドラム１２とを縦向きに並べてかつ同軸上に設置することができる。これにより、演奏時におけるフロアタム１１及びバスドラム１２の設置スペースを小さく抑えることができる。
【００６１】
（６）ドラムシステム１０は、ペダル装置２８を後脚２２に連結するための連結機構２７を備えている。連結機構２７は、一対の後脚２２、一対の脚ゴム３０、及び連結プレート３１を備えている。この構成によれば、連結機構２７を介して、バスドラム１２を叩打するペダル装置２８を、フロアタム１１及びバスドラム１２を設置する４本の脚２１，２２の一部に連結することができる。これにより、演奏者は、ペダル装置２８を操作して、バスドラム１２を叩打することができる。よって、演奏者は、バスドラム１２をカクテルドラムのバスドラムのように演奏することができる。
【００６２】
（７）ドラムシステム１０は、フロアタム１１及びバスドラム１２の他に、タムタム１３と、スネアドラム１４と、ロッド２３に対してタムタム１３やスネアドラム１４を着脱するための取付具２４とを備えている。この構成によれば、取付具２４を介して、タムタム１３やスネアドラム１４をロッド２３に取り付けたり、ロッド２３から取り外したりすることができる。これにより、タムタム１３やスネアドラム１４を設置するための専用のスタンドが不要となる。このため、演奏時におけるドラムシステム１０の設置スペースを小さく抑えることができる。
【００６３】
（８）バスドラム１２及びフロアタム１１の各口径は、スネアドラム１４及びタムタム１３の各口径よりも大きく設定されている。この構成によれば、ドラムシステム１０を、バスドラム１２及びフロアタム１１の内側にタムタム１３やスネアドラム１４を収納可能に構成することができる。具体的には、バスドラム１２の内側にスネアドラム１４が収納され、フロアタム１１がスネアドラム１４上のタムタム１３を収納するようにバスドラム１２の上に載置される。これにより、種類の異なる４つのドラムを備えると共にコンパクトで持ち運びが簡単なドラムシステム１０を提供することができる。
【００６４】
（９）脚ゴム３０は、略直方体であってその内部に中空部３０ａを有している。この構成によれば、脚ゴム３０は、中空部３０ａにより変形し易くなっている。このため、脚ゴム３０の変形により、ペダル３６の踏み込みによる荷重を吸収することができる。よって、ペダル３６の踏み込みに伴うペダル装置２８やバスドラム１２等の移動を極力抑えることができる。また、フロアタム１１の設置角度に追従して、脚ゴム３０を変形させることもできる。これにより、演奏し易い打面角度にしてフロアタム１１を設置することもできる。
【００６５】
（１０）連結プレート３１は、金属等の剛性を有する材料からなる。また、連結プレート３１は、長尺状の板材を断面Ｌ字状に折り曲げて形成されている。この構成によれば、連結プレート３１の強度が十分に高められているため、演奏者が誤って連結プレート３１を踏んだとしても、連結プレート３１の破損や変形を抑制することができる。
【００６６】
（１１）演奏者側から見て、突条３１ａの中央より少し右側には、連結プレート３１とペダル装置２８との連結位置を表す２つの目印３１ｂが刻印されている。２つの目印３１ｂの位置は、ペダル装置２８を両目印３１ｂ間に連結することでバスドラム１２の中央付近をビータ３７が叩打するように設定されている。この構成によれば、通常のドラムセットと同じようにペダル装置２８を設置できるため、演奏者は、バスドラム１２を演奏する際、違和感無くペダル装置２８を操作することができる。
【００６７】
（１２）ペダル装置２８の前端において、ビータ３７と対応する位置に凹部３９が形成されている。凹部３９は、ビータ３７が最も下方に移動したときペダル装置２８との干渉を回避するための空間を形成する。この構成によれば、ビータが前後に回動する通常のペダル装置と同程度に、ビータ３７の可動範囲を確保することができる。このため、演奏者は、バスドラム１２を演奏する際、違和感無くペダル装置２８を操作することができる。
【００６８】
（１３）脚ゴム３０の固定穴３０ｄには、後脚２２の下端が差し込まれて固定される。この構成によれば、後脚２２から脚ゴム３０を、手で簡単に取り外すことができる。つまり、工具等を使用せずに、２本の後脚２２から連結プレート３１を容易に取り外すことができる。よって、ドラムシステム１０を収納時の形態にする際の作業を簡単に行うことができる。
【００６９】
（１４）第１のブラケット４１では、第１ボルト４６の先端が、クランプ片４５の挿通孔４５ｂを貫通すると共にナット５２に螺合されている。この構成によれば、第１ボルト４６に対するナット５２の締付量を調整することで、異なる径のロッド２３に対応することができる。また、取付具２４では、第３ボルト６７が第２クランプ片５７を貫通すると共にナット６８に螺合されている。この場合も、第３ボルト６７に対するナット６８の締付量を調整することで、異なる径のロッド２３に対応することができる。
【００７０】
（１５）第１のブラケット４１は、以下のように構成されている。即ち、蝶ナット５４を緩めてから、ブラケット本体４４に対し第２ボルト４７を図６及び図７に示すＡ方向に回動させる。次に、ロッド２３を水平方向Ｐに移動させるだけで、第１のブラケット４１からロッド２３を簡単に取り外すことができる。また、この場合、第１のブラケット４１から、ロッド２３をその軸線方向に抜き出すのではなく、水平方向Ｐに移動させて取り外すことができる。このため、メモリロック３２，３４をロッド２３から取り外すことなく、第１のブラケット４１にロッド２３を装着したり、第１のブラケット４１からロッド２３を取り外したりすることができる。取付具２４においても、第１のブラケット４１と同様に、取付具２４を水平方向Ｐに移動させるだけで、ロッド２３から取付具２４を簡単に取り外すことができる。
【００７１】
（１６）ドラムシステム１０によれば、フロアタム１１、バスドラム１２、タムタム１３及びスネアドラム１４は、図５に示すように、狭いスペースでも演奏可能に設置される。この場合、フロアタム１１、バスドラム１２、タムタム１３及びスネアドラム１４は、隣り合う他の楽器や取付具２４等と近い位置に設置されることが多い。その点、取付具２４は、上下反転させてもロッド２３に取り付けることができるように構成されている。つまり、ロッド６１をクランプ本体５５の下面に位置する開口から突出させるため、取付具２４を上下反転させてロッド２３に取り付けることができる。このように、各種ドラムのセッティングに応じてロッド６１の突出位置を適宜変更することで、隣り合う他の楽器同士が干渉しないようにすることができる。
【００７２】
なお、本実施形態は、以下のように変更してもよい。
・本実施形態において、タムタム１３と、スネアドラム１４と、ロッド２３にタムタム１３やスネアドラム１４を着脱するための取付具２４とを、ドラムシステム１０から省略してもよい。この場合、ドラムシステム１０を、バスドラム１２の内側にフロアタム１１を収納可能に構成してもよい。
【００７３】
・本実施形態において、第１のドラムはフロアタム１１であり、第２のドラムはバスドラム１２であったが、第１のドラムをタムタム１３やスネアドラム１４に変更してもよい。第１のドラムがフロアタム１１，タムタム１３，又はスネアドラム１４の場合、それらの口径は、バスドラム１２の口径と同じであってもよい。
【００７４】
・本実施形態において、第１及び第２のブラケット４１，４２は、ブラケット本体４４及びクランプ片４５を備える構成に代えて、ロッド２３を挿通させる挿通孔を設けたブラケット本体４４のみによって構成してもよい。この場合、第１及び第２のブラケット４１，４２の挿通孔にロッド２３を挿通させた状態で、メモリロック３２，３４によって、第１及び第２のブラケット４１，４２を下方からそれぞれ支持するようにしてもよい。
【００７５】
・本実施形態において、フロアタム１１及びバスドラム１２を同軸上に設置するには、フロアタム１１及びバスドラム１２の各口径に応じて、第１のブラケット４１全体の長さＬ１と第２のブラケット４２全体の長さＬ２とを設定すればよい。例えば、フロアタム１１及びバスドラム１２の各口径が同じであれば、長さＬ１を長さＬ２と同じにすればよい。また、フロアタム１１の口径がバスドラム１２の口径よりも大きければ、長さＬ１を長さＬ２よりも小さくすればよい。
【００７６】
・本実施形態において、脚２１，２２は、バスドラム１２のシェル１２ａの外周面に固定されていたが、フロアタム１１のシェル１１ａに固定してもよい。
・本実施形態において、ペダル装置２８を連結する連結機構２７を、ドラムシステム１０から省略してもよい。
【００７７】
・本実施形態において、バスドラム１２の内側にスネアドラム１４を収納しフロアタム１１の内側にタムタム１３を収納するようにしたが、タムタム１３の口径をスネアドラム１４の口径よりも大きくして、バスドラム１２の内側にタムタム１３を収納しフロアタム１１の内側にスネアドラム１４を収納してもよい。
【００７８】
・本実施形態において、タムタム１３やスネアドラム１４に代えて、シンバル等の打楽器を、取付具２４を介してロッド２３に取り付けてもよい。また、タムタム１３やスネアドラム１４に加えて、シンバル等の打楽器を、取付具２４を介してロッド２３に取り付けてもよい。
【符号の説明】
【００７９】
Ｌ１，Ｌ２…長さ、１０…ドラムシステム、１１…フロアタム（第１のドラム）、１２…バスドラム（第２のドラム）、１１ａ…シェル、１１ｂ…ドラムヘッド、１２ａ…シェル、１２ｂ…ドラムヘッド、１３…タムタム（第３のドラム）、１４…スネアドラム（第４のドラム）、２１…前脚（脚）、２２…後脚（脚）、２３…ロッド、２４…取付具、２７…連結機構、２８…ペダル装置、３１…連結プレート（連結部材）、４１…第１のブラケット、４２…第２のブラケット。
【図１】
2015041054.tif 000003
【図２】
2015041054.tif 000004
【図３】
2015041054.tif 000005
【図４】
2015041054.tif 000006
【図５】
2015041054.tif 000007
【図６】
2015041054.tif 000008
【図７】
2015041054.tif 000009
【図８】
2015041054.tif 000010
【図９】
2015041054.tif 000011
【図１０】
2015041054.tif 000012